(57)【特許請求の範囲】
【請求項１】
表面側から視認可能に公開情報が印刷された公開情報帳票部と、少なくとも一部に表面側から視認可能に秘匿情報が印刷された秘匿情報記載領域を有する少なくとも１つの秘匿情報帳票部とが、一体的に連接されており、少なくとも前記公開情報帳票部の裏面に粘着剤層が形成された折り畳み式ラベルであって、
前記秘匿情報帳票部よりも面積が大きい前記公開情報帳票部の部分の裏面に形成され、被着物に貼付する封入用接着部と、
前記公開情報帳票部及び前記秘匿情報帳票部の少なくとも一方に設けられ、前記公開情報帳票部と前記秘匿情報帳票部とが前記粘着剤層で背中合わせに貼り合わされた状態で、前記秘匿情報帳票部と前記公開情報帳票部を剥離可能にする剥離層とを備え、
前記秘匿情報帳票部は、所定の方向に折り畳まれて、少なくとも前記秘匿情報記載領域が前記公開情報帳票部に被覆された隠蔽状態で貼付されること、
を特徴とする折り畳み式ラベル。
【請求項２】
表面側から視認可能に公開情報が印刷された公開情報帳票部と、少なくとも一部に表面側から視認可能に秘匿情報が印刷された秘匿情報記載領域を有する少なくとも１つの秘匿情報帳票部とが、一体的に連接されており、少なくとも前記公開情報帳票部の裏面に粘着剤層が形成された折り畳み式ラベルであって、
前記公開情報帳票部は、貼付票、配達票が含まれ、
前記秘匿情報帳票部は、入金票、領収証が含まれており、
前記貼付票、前記配達票、前記入金票、前記領収証がこの順に配置されており、
前記公開情報帳票部及び前記秘匿情報帳票部の少なくとも一方に設けられ、前記配達票と前記入金票とが前記粘着剤層で背中合わせに貼り合わされた状態で、前記配達票と前記入金票とを剥離可能にする剥離層を備え、
前記秘匿情報帳票部は、所定の方向に折り畳まれて、少なくとも前記秘匿情報記載領域が前記公開情報帳票部に被覆された隠蔽状態で貼付されること、
を特徴とする折り畳み式ラベル。
【請求項３】
表面側から視認可能に公開情報が印刷された公開情報帳票部と、少なくとも一部に表面側から視認可能に秘匿情報が印刷された秘匿情報記載領域を有する少なくとも１つの秘匿情報帳票部とが、一体的に連接されており、少なくとも前記公開情報帳票部の裏面に粘着剤層が形成された折り畳み式ラベルであって、
前記公開情報帳票部は、貼付票、配達票が含まれ、
前記秘匿情報帳票部は、領収証が含まれており、
前記貼付票、前記配達票、前記領収証がこの順に配置されており、
前記公開情報帳票部及び前記秘匿情報帳票部の少なくとも一方に設けられ、前記配達票と前記領収証とが前記粘着剤層で背中合わせに貼り合わされた状態で、前記配達票と前記領収証とを剥離可能にする剥離層を備え、
前記秘匿情報帳票部は、所定の方向に折り畳まれて、少なくとも前記秘匿情報記載領域が前記公開情報帳票部に被覆された隠蔽状態で貼付されること、
を特徴とする折り畳み式ラベル。
【請求項４】
表面側から視認可能に公開情報が印刷された公開情報帳票部と、少なくとも一部に表面側から視認可能に秘匿情報が印刷された秘匿情報記載領域を有する秘匿情報帳票部とが、一体的に連接されており、少なくとも前記公開情報帳票部の裏面に粘着剤層が形成された折り畳み式ラベルであって、
前記秘匿情報帳票部と前記公開情報帳票部とを背中合わせに貼り合わせたときに、前記秘匿情報帳票部側に露出する前記粘着剤層により形成される封入用接着部と、
前記公開情報帳票部及び前記秘匿情報帳票部の少なくとも一方に設けられ、前記公開情報帳票部と前記秘匿情報帳票部とが前記粘着剤層で背中合わせに貼り合わされた状態で、前記秘匿情報帳票部と前記公開情報帳票部を剥離可能にする剥離層とを備え、
前記封入用接着部によって被着物に貼付されることにより、前記秘匿情報帳票部が前記公開情報帳票部に被覆された隠蔽状態で貼付されること、
を特徴とする折り畳み式ラベル。
【請求項５】
請求項４に記載の折り畳み式ラベルであって、
少なくとも一部に表面から視認可能に秘匿情報が印刷された秘匿情報記載領域を有する第２の秘匿情報帳票部を備え、
前記公開情報帳票部、前記秘匿情報帳票部、前記第２の秘匿情報帳票部の順に連接されていること、
を特徴とする折り畳み式ラベル。
【請求項６】
表面側から視認可能に公開情報が印刷された公開情報帳票部と、少なくとも一部に表面側から視認可能に秘匿情報が印刷された秘匿情報記載領域を有する秘匿情報帳票部及び第２の秘匿情報帳票部とが、前記公開情報帳票部、前記秘匿情報帳票部、前記第２の秘匿情報帳票部の順で一体的に連接されており、少なくとも前記公開情報帳票部の裏面に粘着剤層が形成された折り畳み式ラベルであって、
前記秘匿情報帳票部と前記公開情報帳票部とを背中合わせに貼り合わせたときに、前記秘匿情報帳票部側に露出する前記公開情報帳票部の裏面の前記粘着剤層により形成される封入用接着部と、
前記公開情報帳票部及び前記秘匿情報帳票部の少なくとも一方に設けられ、前記公開情報帳票部と前記秘匿情報帳票部とが前記粘着剤層で背中合わせに貼り合わされた状態で、前記秘匿情報帳票部と前記公開情報帳票部を剥離可能にする剥離層とを備え、
前記封入用接着部を前記第２の秘匿情報帳票部の表面に貼付して前記秘匿情報帳票部及び第２の秘匿情報帳票部が前記公開情報帳票部に被覆された隠蔽状態で貼付されること、
を特徴とする折り畳み式ラベル。
【請求項７】
請求項４から請求項６までのいずれか１項に記載の折り畳み式ラベルにおいて、
前記秘匿情報帳票部には、切り欠き又は貫通孔が設けられ、
前記封入用接着部は、前記切り欠き又は前記貫通孔から露出する前記粘着剤層により形成されること、
を特徴とする折り畳み式ラベル。
【請求項８】
請求項４から請求項７までのいずれか１項に記載の折り畳み式ラベルにおいて、
前記公開情報帳票部を表面側から見て前記封入用接着部より内側に、開封予定線が形成されていること、
を特徴とする折り畳み式ラベル。
【請求項９】
請求項１から請求項８までのいずれか１項に記載の折り畳み式ラベルにおいて、
前記各帳票部は、その連接する部分に切り取り予定線が設けられていること、
を特徴とする折り畳み式ラベル。
【請求項１０】
請求項１から請求項３までのいずれか１項に記載の折り畳み式ラベルを使用する折り畳み式ラベルの使用方法において、
前記秘匿情報帳票部を所定の方向に折り畳んで、少なくとも秘匿情報記載領域が前記公開情報帳票部に被覆された隠蔽状態で貼付すること、
を特徴とする折り畳み式ラベルの使用方法。
【請求項１１】
請求項４又は請求項５に記載の折り畳み式ラベルを使用する折り畳み式ラベルの使用方法において、
前記秘匿情報帳票部を前記公開情報帳票部の裏面側へ折り畳んで前記秘匿情報帳票部と前記公開情報帳票部とを背中合わせに貼り合わせ、
前記封入用接着部を前記秘匿情報帳票部側に露出させ、前記封入用接着部を被着物に貼付することにより、前記秘匿情報帳票部を前記公開情報帳票部により被覆した隠蔽状態として前記被着物に貼付すること、
を特徴とする折り畳み式ラベルの使用方法。
【請求項１２】
請求項１１に記載の折り畳み式ラベルの使用方法において、
前記秘匿情報帳票部に連接され、表面から視認可能に秘匿情報が印刷された第２の秘匿情報帳票部を備えている場合には、
前記第２の秘匿情報帳票部を前記秘匿情報帳票部の表面側へ折り畳むこと、
を特徴とする折り畳み式ラベルの使用方法。
【請求項１３】
請求項６に記載の折り畳み式ラベルの使用方法において、
前記第２の秘匿情報帳票部を前記秘匿情報帳票部の表面側へ折り畳み、
前記秘匿情報帳票部を前記公開情報帳票部の裏面側へ折り畳んで前記秘匿情報帳票部と前記公開情報帳票部とを背中合わせに貼り合わせ、前記封入用接着部を前記秘匿情報帳票部側に露出させ、前記封入用接着部を前記第２の秘匿情報帳票部の表面に貼付して前記秘匿情報帳票部を前記公開情報帳票部により被覆した隠蔽状態とし、
前記公開情報帳票部の前記秘匿情報帳票部が貼り合わせられる領域及び前記封入用接着部以外の領域の前記粘着剤層により被着物に貼付すること、
を特徴とする折り畳み式ラベルの使用方法。
【発明の詳細な説明】
【０００１】
【発明の属する技術分野】
本発明は、通信販売（以下、「通販」という）等の料金収集代行サービス等に好適に使用される折り畳み式ラベル及びその使用方法に関するものである。
【０００２】
【従来の技術】
近年のＥＤＩ化に伴って、配送伝票の１ｐｔ（パート）化が急速に進展し、実用化されている。また、一方で、家にいながら買い物が楽しめる点から、インターネットやカタログ等を利用した通販も、順調に市場が拡大している。
【０００３】
通販は、家にいながら買い物ができるという利便性を有しているが、この利便性を確保するためには、当然のごとく、
（１）商品を届ける
（２）代金を支払う
という２つの作業が必要になる。
【０００４】
このうち、（１）の「商品を届ける」には、運送会社、特に、個人向けには、宅配業者の配送網を活用すればよく、（２）の「代金を支払う」ためには
（ａ）郵便振込、
（ｂ）銀行振込、
（ｃ）クレジットカードでの引き落とし、
といった方法で広く行われてきた。
【０００５】
しかし、これらの方法では、前記（ｃ）以外の方法では、結局、外出する必要が生じるので、家にいながらショッピングができるという利便性は、いくぶん薄まることになる。また、（ｃ）の「クレジットカードでの引き落とし」や、（ｂ）の「銀行振込」でも、インターネットバンキング等であれば、利便性は確保されるが、セキュリティ性に対して、不安や抵抗を持つ人も少なくなく、広がりに制約があった。
【０００６】
このため、通販業者に代わって、宅配業者が商品を届ける際に、代金も回収するというサービスが実施されている。この代金回収代行サービスの開発によって、通販業者のみならず、通販を利用する顧客に対しても、利便性が増加したと言える。
【０００７】
【発明が解決しようとする課題】
さて、一方で、宅配業者は、ＥＤＩ化によって、処理業務の負荷低減が可能になるため、前述のとおり、ＥＤＩ化を進展させているが、実は、代金回収代行サービスについては、１ｐｔ配送伝票は、利用されていない。
【０００８】
この理由は、以下の通りである。代金回収代行サービスでは、一般に、配送伝票として必要な『配達票』、『貼付票』に加え、『入金票』と『領収証』、場合によっては『売上票』が必要になる。これは、代金を回収するという他社の金銭を扱う業務上、必要とされているものである。
このとき、『配達票』と『貼付票』の記載内容は、もちろん公開されていて構わないが、『入金票』と『領収証』については、簡単には見られないように、秘匿したいという要望がある。
【０００９】
これは、以下のような理由によるところが大きい。
（ａ）  領収金額の多寡によって、例えば、荷物が盗難などに遭う危険性が高くなる。
（ｂ）  領収金額が多くなると、配達のドライバ自体が強盗などに襲われる可能性がある。
【００１０】
しかし、１ｐｔ配送伝票は、１枚又は２枚を擬似接着させたものであり、プリンタもドットインパクト式に限らず、ＮＩＰ、サーマルプリンタ等が利用できるために、従来の多ｐｔ配送伝票のように袋状にして、内包しておくことが困難であった。
つまり、代金回収代行サービスにおいて、１ｐｔ配送伝票が利用されてこなかった理由は、『入金票』と『領収証』などに記載された金額欄を秘匿することができなかったことによる。
【００１１】
本発明の目的は、前述した課題を解決して、１ｐｔ型の帳票であっても、金額欄などの秘匿情報記載領域を隠蔽することができる折り畳み式ラベルとその使用方法を提供することである。
【００１３】
【課題を解決するための手段】
前記課題を解決するために、請求項１の発明は、表面側から視認可能に公開情報が印刷された公開情報帳票部（１１ａ，１１ｂ）と、少なくとも一部に表面側から視認可能に秘匿情報が印刷された秘匿情報記載領域を有する少なくとも１つの秘匿情報帳票部（１１ｃ，１１ｄ）とが、一体的に連接されており、少なくとも前記公開情報帳票部の裏面に粘着剤層（１５）が形成された折り畳み式ラベルであって、前記秘匿情報帳票部よりも面積が大きい前記公開情報帳票部の部分（１１ｂ−１）の裏面に形成され、被着物に貼付する封入用接着部と、前記公開情報帳票部及び前記秘匿情報帳票部の少なくとも一方に設けられ、前記公開情報帳票部と前記秘匿情報帳票部とが背中合わせに前記粘着剤層で貼り合わされた状態で、前記秘匿情報帳票部と前記公開情報帳票部を剥離可能にする剥離層（１２）とを備え、前記秘匿情報帳票部は、所定の方向に折り畳まれて、少なくとも前記秘匿情報記載領域が前記公開情報帳票部に被覆された隠蔽状態で貼付されること、を特徴とする折り畳み式ラベルである。
請求項２の発明は、表面側から視認可能に公開情報が印刷された公開情報帳票部（１１ａ，２１ａ，３１ａ、１１ｂ，２１ｂ，３１ｂ）と、少なくとも一部に表面側から視認可能に秘匿情報が印刷された秘匿情報記載領域を有する少なくとも１つの秘匿情報帳票部（１１ｃ，２１ｃ，３１ｃ、１１ｄ，２１ｄ，３１ｄ）とが、一体的に連接されており、少なくとも前記公開情報帳票部の裏面に粘着剤層（１５）が形成された折り畳み式ラベルであって、前記公開情報帳票部は、貼付票（１１ａ，２１ａ，３１ａ）、配達票（１１ｂ，２１ｂ，３１ｂ）が含まれ、前記秘匿情報帳票部は、入金票（１１ｃ，２１ｃ，３１ｃ）、領収証（１１ｄ，２１ｄ，３１ｄ）が含まれており、前記貼付票、前記配達票、前記入金票、前記領収証がこの順に配置されており、前記公開情報帳票部及び前記秘匿情報帳票部の少なくとも一方に設けられ、前記配達票と前記入金票とが前記粘着剤層で背中合わせに貼り合わされた状態で、前記配達票と前記入金票とを剥離可能にする剥離層（１２）を備え、前記秘匿情報帳票部は、所定の方向に折り畳まれて、少なくとも前記秘匿情報記載領域が前記公開情報帳票部に被覆された隠蔽状態で貼付されること、を特徴とする折り畳み式ラベルである。
請求項３の発明は、表面側から視認可能に公開情報が印刷された公開情報帳票部（４１ａ，４１ｂ）と、少なくとも一部に表面側から視認可能に秘匿情報が印刷された秘匿情報記載領域を有する秘匿情報帳票部（４１ｄ）とが、一体的に連接されており、少なくとも前記公開情報帳票部の裏面に粘着剤層（１５）が形成された折り畳み式ラベルであって、前記公開情報帳票部は、貼付票（４１ａ）、配達票（４１ｂ）が含まれ、前記秘匿情報帳票部は、領収証（４１ｄ）が含まれており、前記貼付票、前記配達票、前記領収証がこの順に配置されており、前記公開情報帳票部及び前記秘匿情報帳票部の少なくとも一方に設けられ、前記配達票と前記領収証とが前記粘着剤層で背中合わせに貼り合わされた状態で、前記配達票と前記領収証とを剥離可能にする剥離層（１２）を備え、前記秘匿情報帳票部は、所定の方向に折り畳まれて、少なくとも前記秘匿情報記載領域が前記公開情報帳票部に被覆された隠蔽状態で貼付されること、を特徴とする折り畳み式ラベルである。
【００１４】
請求項４の発明は、表面側から視認可能に公開情報が印刷された公開情報帳票部（１１ａ，１１ｂ、４１ａ，４１ｂ）と、少なくとも一部に表面側から視認可能に秘匿情報が印刷された秘匿情報記載領域を有する秘匿情報帳票部（１１ｃ，１１ｄ、４１ｄ）とが、一体的に連接されており、少なくとも前記公開情報帳票部の裏面に粘着剤層（１５）が形成された折り畳み式ラベルであって、前記秘匿情報帳票部と前記公開情報帳票部とを背中合わせに貼り合わせたときに、前記秘匿情報帳票部側に露出する前記粘着剤層により形成される封入用接着部（１１ｂ−１，４１ｂ−１）と、前記公開情報帳票部及び前記秘匿情報帳票部の少なくとも一方に設けられ、前記公開情報帳票部と前記秘匿情報帳票部とが前記粘着剤層で背中合わせに貼り合わされた状態で、前記秘匿情報帳票部と前記公開情報帳票部を剥離可能にする剥離層（１２）とを備え、前記封入用接着部によって被着物に貼付されることにより、前記秘匿情報帳票部が前記公開情報帳票部に被覆された隠蔽状態で貼付されること、を特徴とする折り畳み式ラベル（１０，４０）である。
請求項５の発明は、請求項４に記載の折り畳み式ラベルであって、少なくとも一部に表面から視認可能に秘匿情報が印刷された秘匿情報記載領域を有する第２の秘匿情報帳票部（１１ｄ）を備え、前記公開情報帳票部（１１ａ，１１ｂ）、前記秘匿情報帳票部（１１ｃ）、前記第２の秘匿情報帳票部（１１ｄ）の順に連接されていること、を特徴とする折り畳み式ラベル（１０）である。
【００１５】
請求項６の発明は、表面側から視認可能に公開情報が印刷された公開情報帳票部（２１ａ，３１ａ、２１ｂ，３１ｂ）と、少なくとも一部に表面側から視認可能に秘匿情報が印刷された秘匿情報記載領域を有する秘匿情報帳票部（２１ｃ，３１ｃ）及び第２の秘匿情報帳票部（２１ｄ，３１ｄ）とが、前記公開情報帳票部、前記秘匿情報帳票部、前記第２の秘匿情報帳票部の順で一体的に連接されており、少なくとも前記公開情報帳票部の裏面に粘着剤層が形成された折り畳み式ラベルであって、前記秘匿情報帳票部と前記公開情報帳票部とを背中合わせに貼り合わせたときに、前記秘匿情報帳票部側に露出する前記公開情報帳票部の裏面の前記粘着剤層により形成される封入用接着部（２１ｂ−１，３１ｂ−１）と、前記公開情報帳票部及び前記秘匿情報帳票部の少なくとも一方に設けられ、前記公開情報帳票部と前記秘匿情報帳票部とが前記粘着剤層で背中合わせに貼り合わされた状態で、前記秘匿情報帳票部と前記公開情報帳票部を剥離可能にする剥離層（１２）とを備え、前記封入用接着部を前記第２の秘匿情報帳票部の表面に貼付して前記秘匿情報帳票部及び第２の秘匿情報帳票部が前記公開情報帳票部に被覆された隠蔽状態で貼付されること、を特徴とする折り畳み式ラベル（２０，３０）である。
請求項７の発明は、請求項４から請求項６までのいずれか１項に記載の折り畳み式ラベルにおいて、前記秘匿情報帳票部（２１ｃ，３１ｃ，４１ｄ）には、切り欠き又は貫通孔が設けられ、前記封入用接着部は、前記切り欠き（ｃｃ）又は前記貫通孔（ｆｈ）から露出する前記粘着剤層（１５）により形成されること、を特徴とする折り畳み式ラベルである。
請求項８の発明は、請求項４から請求項７までのいずれか１項に記載の折り畳み式ラベルにおいて、前記公開情報帳票部（１１ｂ，２１ｂ，３１ｂ，４１ｂ）を表面側から見て前記封入用接着部より内側に、開封予定線（ｍ１，ｍ２，ｍ３）が形成されていること、
を特徴とする折り畳み式ラベル（１０，２０，３０，４０）である。
請求項９の発明は、請求項１から請求項８までのいずれか１項に記載の折り畳み式ラベルにおいて、前記各帳票部（１１ａ，１１ｂ，１１ｃ，１１ｄ、２１ａ，２１ｂ，２１ｃ，２１ｄ、３１ａ，３１ｂ，３１ｃ，３１ｄ、４１ａ，４１ｂ，４１ｄ）の連接する部分に切り取り予定線（ｈｃ１，ｈｃ２，ｈｃ３）が設けられていること、を特徴とする折り畳み式ラベル（１０，２０，３０，４０）である。
【００１６】
請求項１０の発明は、請求項１から請求項３までのいずれか１項に記載の折り畳み式ラベルを使用する折り畳み式ラベルの使用方法において、前記秘匿情報帳票部を所定の方向に折り畳んで、少なくとも秘匿情報記載領域が前記公開情報帳票部に被覆された隠蔽状態で貼付すること、を特徴とする折り畳み式ラベルの使用方法である。
【００１７】
請求項１１の発明は、請求項４又は請求項５に記載の折り畳み式ラベルを使用する折り畳み式ラベルの使用方法において、前記秘匿情報帳票部（１１ｃ，４１ｄ）を前記公開情報帳票部（１１ｂ，４１ｂ）の裏面側へ折り畳んで前記秘匿情報帳票部と前記公開情報帳票部とを背中合わせに貼り合わせ、前記封入用接着部（１１ｂ−１，４１ｂ−１）を前記秘匿情報帳票部側に露出させ、前記封入用接着部を被着物に貼付することにより前記秘匿情報帳票部を前記公開情報帳票部により被覆した隠蔽状態として、前記被着物に貼付すること、を特徴とする折り畳み式ラベルの使用方法である。
請求項１２の発明は、請求項１１に記載の折り畳み式ラベルの使用方法において、前記秘匿情報帳票部（１１ｃ）に連接され、表面から視認可能に秘匿情報が印刷された第２の秘匿情報帳票部（１１ｄ）を備えている場合には、前記第２の秘匿情報帳票部を前記秘匿情報帳票部の表面側へ折り畳むこと、を特徴とする折り畳み式ラベルの使用方法である。
【００１８】
請求項１３の発明は、請求項６に記載の折り畳み式ラベルの使用方法において、前記第２の秘匿情報帳票部（２１ｄ，３１ｄ）を前記秘匿情報帳票部（２１ｃ，３１ｃ）の表面側へ折り畳み、前記秘匿情報帳票部を前記公開情報帳票部（２１ｂ，３１ｂ）の裏面側へ折り畳んで前記秘匿情報帳票部と前記公開情報帳票部とを背中合わせに貼り合わせ、前記封入用接着部（２１ｂ−１，３１ｂ−１）を前記秘匿情報帳票部側に露出させ、前記封入用接着部を前記第２の秘匿情報帳票部の表面に貼付して前記秘匿情報帳票部を前記公開情報帳票部により被覆した隠蔽状態とし、前記公開情報帳票部の前記秘匿情報帳票部が貼り合わせられる領域及び前記封入用接着部以外の領域の前記粘着剤層により被着物に貼付すること、を特徴とする折り畳み式ラベルの使用方法である。
【００１９】
【発明の実施の形態】
以下、図面などを参照しながら、本発明の実施の形態をあげて、さらに詳しく説明する。
（第１実施形態）
図１は、本発明による折り畳み式ラベル及びその使用方法の第１実施形態を示した図、図２は、第１実施形態に係る折り畳み式ラベルの層構造を示した図である。
この折り畳み式ラベル１０は、図１（ａ）に示すように、１ｐｔ配送伝票を例にしたものであり、上側から順に、配送荷物（被着物）に貼付され、荷札となる貼付票１１ａと、配達先で受領印をもらって、配送業者が持ち帰る配達票１１ｂと、配送業者又は料金収集代行サービスの委託者（通販業者など）の経理処理等に用いる入金票１１ｃと、配達先で料金と引き換えに渡す領収証１１ｄとが連接されている。
【００２０】
この折り畳み式ラベル１０は、図２に示すように、帳票基材１１の裏面に、 剥離層１２、樹脂層１３、情報表示層１４、粘着剤層１５を、順次積層して設け、さらに、粘着剤層１５を保護するために、剥離紙１６が設けられている。
【００２１】
帳票基材１１は、配送必要事項を表示をするためのものであり、シート状物からなり、一般用紙、上質紙、感圧紙や感熱紙等の機能性用紙、複写用紙、クラフト紙、グラシン紙、パーチメント紙、レーヨン紙、コート紙、合成紙、樹脂フィルムによりラミネートされた紙等の紙が好適に用いられるが、セロファン、延伸ポリプロピレン、ポリエチレンテレフタレート（ＰＥＴ）、発泡ＰＥＴ、延伸ポリスチレン、ポリ塩化ビニル等の樹脂フィルムであってもよい。帳票基材１１の厚さは、通常、２０〜２００μｍ程度が好ましい。
【００２２】
剥離層１２は、帳票基材１１の剥離される帳票部を、配送途中に剥離可能とする層である。この剥離層１２は、帳票基材１１の裏面の一部（剥離される帳票部）に、シリコーンアクリレートを主成分とするＵＶインキによって、パターン状にオフセット印刷、活版印刷等によって、厚さ、１．５〜１５μｍ程度に印刷されている。
【００２３】
樹脂層１３は、帳票基材１１又は剥離層１２の裏面に形成され、帳票基材１１の一部が剥離されたときに、粘着剤層１５の粘着性を発現させないための目止め層である。この樹脂層１３は、ＵＶインキや、酢酸ビニル系樹脂、アクリル系樹脂、ポリウレタン系樹脂等の合成樹脂等を印刷又はコーティング等によって形成することができる。樹脂層１３の厚さは、特に限定はされないが、通常３〜２０μｍ、好ましくは５〜１０μｍ程度である。
【００２４】
情報表示層１４は、帳票基材１１の剥離される帳票部を剥離したときに表れ、受取人や荷扱い者等に対するメッセージ等を表示する層である。なお、この情報表示層１４は、用途等によっては省略してもよい。
【００２５】
粘着剤層１５は、このラベル１０を配送荷物に貼付するための層であり、この実施形態では、粘着剤層１５の一部に剥離層１２が形成されておらず、その部分では、帳票基材１１に対して、強接着性を発現する。この粘着剤層１５は、アクリル系接着剤、天然ゴム系接着剤、合成ゴム系接着剤、シリコーンゴム系接着剤などが好適に用いられる。粘着剤層１５の塗布量・塗布厚は、特に限定されないが、好ましくは、塗布量は０．１〜５０ｇ／ｍ2 であり、塗布厚は０．１〜５０μｍである。荷物等の被着体に対する粘着剤層１５の接着力は、剥離層１２と樹脂層１３との接着力よりも大きい必要があり、荷物等の被着体に応じて、適宜、調整するとよい。
【００２６】
剥離紙１６は、粘着剤層１５の下に配置されている基材であり、使用前に、粘着剤層１５を保護する層である。剥離紙１６は、紙、織物、プラスチックフィルムなどから形成されており、この上面、すなわち、粘着剤層１５の側の面には、シリコーン系離型剤などにより剥離処理がなされている。剥離紙１６の厚さは、特に限定はされないが、通常２０〜２００μｍ、好ましくは４０〜１００μｍ程度である。
【００２７】
この折り畳み式ラベル１０は、オフセット印刷機を用いて、帳票基材１１となるベース用紙の表面に各帳票部１１ａ〜１１ｄを印刷し、裏面に剥離層１２を同一の印刷機で見当合わせをして正確に印刷する。次に、剥離層１２の上に樹脂層１３をコーティングし、さらに、オフセット印刷機で情報表示層１４を印刷してから、粘着剤層１５を形成する粘着加工を行う。最後に、剥離層１６となるセパレータ紙と貼り合せることによって、製造することができる。
【００２８】
入金票１１ｃと領収証１１ｄには、剥離紙１６まで貫通したハーフカットｈｃ４で区切られた部分があり、配達票１１ｂには、このサイズに合わせたミシン目ｍ１が設けられている。また、各帳票部１１ａ〜１１ｄの間は、ハーフカットｈｃ１〜ｈｃ３が形成されている。
なお、貼付票１１ａは、配送荷物の紛失防止のために、剥離構造を持たない方が一般的には好ましいが、配達票１１ｂ、入金票１１ｃ及び領収証１１ｄは、剥離可能である方が望ましい。
【００２９】
次に、本実施形態の折り畳み式ラベル１０の使用方法について説明する。
図１（ｂ）に示すように、折り畳み式ラベル１０の帳票基材１１を、剥離紙１６から剥がすと、ハーフカットｈｃ４で区切られた部分（ハッチング部分）１１ｃ−１，１１ｄ−１は剥離紙１６上に残っている。
【００３０】
図１（ｃ）に示すように、この折り畳み式ラベル１０を、配送荷物に貼り付けるときには、まず、最下部の領収証１１ｄの粘着剤層１５によって貼る。
次いで、中央の配達票１１ｂと入金票１１ｃの２片の裏面を、矢印Ａに示すように背中合せに折り曲げて、それぞれの粘着剤層１５で貼り合せる。
【００３１】
その後に、図１（ｄ）に示すように、その中央の２片（配達票１１ｂと入金票１１ｃ）を、矢印Ｂで示すように、領収証１１ｄの上に重ね合わせて、領収証１１ｄの両側の短い部分を通して、配達票１１ｂの両側のサイズの大きい部分１１ｂ−１の裏面の接着剤層（封入用接着部）によって、配送荷物に貼り付ける。
この状態では、秘匿情報帳票部である入金票１１ｃと領収証１１ｄは、公開情報帳票部である配達票１１ｂの下に折り畳まれて、隠蔽状態で貼り合わされることとなる。
【００３２】
一方、配送荷物が配達先に届いたときには、図１（ｅ）に示すように、中央の２片を（配達票１１ｂと入金票１１ｃ）切り取って、配達票１１ｂに捺印をもらう。配送荷物には、貼付票１１ａと領収証１１ｄが貼付されたままであるが、配送荷物の受領者は、必要に応じて、領収証１１ｄを荷物から剥がして、保管することができる。
【００３３】
切り取った中央の２片（配達票１１ｂと入金票１１ｃ）は、配送業者が持ち帰るものであり、図１（ｆ）に示すように、中央の２片を剥離して、それぞれ処理することができる。
【００３４】
以上のように、第１実施形態によれば、入金票１１ｃと領収証１１ｄとは、折り畳まれて、配達票１１ｂに被覆されるので、金額欄などの秘匿情報記載領域を隠蔽することができる。
【００３５】
また、貼付票１１ａ，配達票１１ｂ，入金票１１ｃ及び領収証１１ｄが、この順に連接されているので、配送業者側が持ち帰る中央の配達票１１ｂ，入金票１１ｃを背中合せに貼り合わされて、同時に、切り取ることができ、また、配達先に残る配達票１１ｂ，領収証１１ｄが荷物に貼り付けられたままであり、必要に応じて、領収証１１ｄを剥がせばよいので、各票の配置が極めて合理的で、使い勝手がよい、という利点がある。
【００３６】
（第２実施形態）
図３は、本発明による折り畳み式ラベル及びその使用方法の第２実施形態を示す図である。
なお、以下に示す各実施形態では、前述した第１実施形態と同様な機能を果たす部分には、末尾に共通した符号を付して、重複する図面や説明を適宜省略する。
【００３７】
第２実施形態の折り畳み式ラベルは、図３（ａ）に示すように、配達票２１ｂの左右下側の角部にミシン目ｍ２が形成されており、また、入金票２１ｃの左右上側の角部にコーナカットｃｃが形成されている。
従って、第１実施形態と同様にして、図３（ｂ）に示すように、中央の配達票２１ｂと入金票２１ｃの２片の裏面を、それぞれの粘着剤層で貼り合せる。
その後に、その中央の２片を、領収証２１ｄの上に重ね合わせて、配送票２１ｂのミシン目ｍ２の外側（三角片２１ｂ−１）の裏面に形成された粘着剤層（封入用接着部）によって、入金票２１ｃのコーナカットｃｃの部分を通して、領収証２１ｄに貼り合せる。
【００３８】
そして、荷物が配達先に届いたときには、図３（ｃ）に示すように、ハーフカットｈｃ２（ｈｃ３）とミシン目ｍ２の部分で、中央の２片を分離する。
【００３９】
第２実施形態によれば、入金票２１ｃは、コーナカットｃｃを除いた全面、領収証２１ｄは、全面を有効に利用でき、しかも、左右の三角片の部分で、確実に固定することができる。
【００４０】
（第３実施形態）
図４は、本発明による折り畳み式ラベル及びその使用方法の第３実施形態を示す図である。
第３実施形態の折り畳み式ラベルは、図４（ａ）に示すように、入金票３１ｄの左側にファイル孔ｆｈが形成されている。また、配達票３１ｂの左側に、ファイル孔ｆｈに対応した丸形状のミシン目ｍ３が形成されている。
【００４１】
中央の２片を、領収証３１ｄの上に重ね合わせて、配送票３１ｂの丸形状のミシン目ｍ３の内側（丸片３１ｂ−１）の裏面に形成された粘着剤層（封入用接着部）によって、入金票３１ｃのファイル孔ｆｈの部分を通して、領収証３１ｄに貼り合せる。そして、荷物が配達先に届いたときには、図４（ｃ）に示すように、ハーフカットｈｃ２（ｈｃ３）と丸形状のミシン目ｍ３の部分で、中央の２片を分離する。
【００４２】
第３実施形態によれば、ファイル孔ｆｈで封入用接着部を形成したので、配達票３１ｂと入金票３１ｃを、荷物から切り取って分離した後に、両片にファイル孔ｆｈが形成でき、後の帳票整理に特に有用である
【００４３】
（第４実施形態）
図５は、本発明による折り畳み式ラベル及びその使用方法の第４実施形態を示す図である。
第４実施形態の折り畳み式ラベル４０は、図５（ａ）に示すように、第２実施形態のミシン目ｍ２と、コーナカットｃｃを形成したタイプであるが、入金票を省いた３片タイプの例である。
【００４４】
この場合には、図５（ａ）に示すように、領収証４１ｄを、配達票４１ｂの裏側に矢印Ｃのように折り畳む。その後に、配達票４１ｂを、領収証４１ｄの上に重ね合わせて、配送票４１ｂのミシン目ｍ２の外側（三角片４１ｂ−１）の裏面に形成された粘着剤層（封入用接着部）によって、入金票４１ｃのコーナーカットｃｃの部分を通して、荷物に貼り合せる。
【００４５】
１ｐｔ配送伝票は、ＥＤＩ化が前提であるので、例えば、システム的に配達票での代用が可能であれば、必ずしも、入金票は必要でない可能性がある。第４実施形態は、このような用途に好適に使用できる。
【００４６】
（第５実施形態）
図６は、本発明による折り畳み式ラベル及びその使用方法の第５実施形態を示す図である。
第５実施形態の折り畳み式ラベル５０は、図６（ａ）に示すように、第５実施形態の領収証の部分に、剥離される帳票部となる入金票５１ｃ及び領収証５１ｄを並列して設けた例である。
第５実施形態によれば、荷物を届ける際に、いろいろな所を複雑に切り取る作業が必要ないので、業務の効率化が図れ、宅配業者から歓迎される、という利点がある。
【００４７】
（第６実施形態）
図７は、本発明による折り畳み式ラベル及びその使用方法の第６実施形態を示す図である。
第６実施形態の折り畳み式ラベル６０は、図７（ａ）に示すように、第１実施形態と同様な１ｐｔ配送伝票（単位帳票）１０を、複数備えたカット紙に適用した例である。
【００４８】
第６実施形態によれば、カット紙プリンタは、ＳＯＨＯや家庭で使用される程度の小型インクジェットプリンタ、レーザビームプリンタ（ＮＩＰ）、熱転写プリンタ、昇華転写プリンタ、ドットインパクトプリンタ等から、コピー複合機や大型専用プリンタまであるので、トレイ形状やフィード方向から最適な形態とすることができる。従って、本実施形態の配置には、限定されない。
また、もちろん、カット紙形状でなくとも、複数の１ｐｔ配送伝票１０を連続帳票として併設してもよい。
【００４９】
（変形形態）
以上説明した実施形態に限定されることなく、種々の変形や変更が可能であって、それらも本発明の均等の範囲内である。
（１）  各実施形態の折り畳み式ラベルは、各片（帳票部）の長さや大きさを適宜調整してもよく、また、例えば、ノベルティ，クジ，手荷物預かり証などの用途に応じて、種々の応用が可能である。
【００５０】
（２）  ２つ折りして重ね合わせられる２片（配達票，入金票）は、天地サイズが等しいほうがよい。しかし、配達票が少なくとも、入金票及び／又は領収証の金額欄を隠蔽すればよく、入金票及び／又は領収証が全て配達票で覆われていてもよいし、一部がはみ出していてもよい。
【００５１】
（３）  配達票に粘着剤層が設けられていれば、入金票は、粘着剤層がなくてもよい。また、配達票であっても、封入用接着部以外の粘着剤は、必ずしも必要ではない。つまり、配達票の封入用接着部と、貼付票の略全面を除いて、粘着剤層はなくてもよい。
【００５２】
（４）  台紙ごと切り取る部分（重ね合せられる配達票と入金票の２片）は、剥離紙（下紙）まで貫通したミシン目、帳票基材（上紙）だけ剥離する部分（荷物に残る貼付票）は、上紙のみカットしたハーフカットが望ましい。また、配達票の封入用接着部の内側に設けるミシン目ｍ１，ｍ２，ｍ３は、下紙まで貫通したミシン目が望ましい。
【００５３】
（５）  配達票の封入用接着部は、一方であってもよく、また、その形状も問わない。
（６）  各片の配置は、横型であっても構わない。
（７）  代金を領収する際に、宅配業者が確認することになるので、完全な秘匿性は必要ない。
（８）  剥離構造は、実施形態で説明した積層方式以外にも、後糊方式、圧着方式、圧着後に剥離可能な擬似接着剤や溶融樹脂をフィルムにラミネートして剥離面を作製したもの等を用いてもよい。
【００５４】
【発明の効果】
以上詳しく説明したように、本発明によれば、折り畳み式ラベルに必要事項を印字した後に、被着物へ貼り込む際に、折り畳む作業を合わせて行うことによって、秘匿情報記載欄を隠蔽状態で内包することができる、という効果がある。
【図面の簡単な説明】
【図１】本発明による折り畳み式ラベル及びその使用方法の第１実施形態を示す図である。
【図２】第１実施形態に係る折り畳み式ラベルの層構造を示す図である。
【図３】本発明による折り畳み式ラベル及びその使用方法の第２実施形態を示す図である。
【図４】本発明による折り畳み式ラベル及びその使用方法の第３実施形態を示す図である。
【図５】本発明による折り畳み式ラベル及びその使用方法の第４実施形態を示す図である。
【図６】本発明による折り畳み式ラベル及びその使用方法の第５実施形態を示す図である。
【図７】本発明による折り畳み式ラベル及びその使用方法の第６実施形態を示す図である。
【符号の説明】
１０  折り畳み式ラベル
１１  帳票基材
１１ａ  貼付票
１１ｂ  配達票
１１ｃ  入金票
１１ｄ  領収証
１２  剥離層
１３  樹脂層
１４  情報表示層
１５  粘着剤層
１６  剥離紙
【図１】
0004559580.tif 000002
【図２】
0004559580.tif 000003
【図３】
0004559580.tif 000004
【図４】
0004559580.tif 000005
【図５】
0004559580.tif 000006
【図６】
0004559580.tif 000007
【図７】
0004559580.tif 000008